(57)【特許請求の範囲】
【請求項１】
金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁の一端部および背面部の上端縁の他端部が方形繋ぎ部を介して連設されてなり、前記帯状繋ぎ部は、一方の側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするシャーシ構造。
【請求項２】
金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁の一端部および背面部の上端縁の他端部が方形繋ぎ部を介して連設され、また、背面部の上端縁および正面部の上端縁が１本または複数本の補助帯状繋ぎ部を介して連設されてなり、前記帯状繋ぎ部は、一方の側面部における方形切欠部の垂直端縁および下方側上端縁に対応する長さを有し、また、前記補助帯状繋ぎ部は、一方の側面部の上方側上端縁、その方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするシャーシ構造。
【請求項３】
金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁、背面部の上端縁の他端部および正面部の上端縁の他端部が補助帯状繋ぎ部を介して連設されてなり、前記帯状繋ぎ部および補助帯状繋ぎ部は、側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするシャーシ構造。
【請求項４】
金属板を展開図にしたがって打ち抜き、折り曲げることによって形成されるシャーシであって、前後両方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁、背面部の上端縁の他端部および正面部の上端縁の他端部が補助帯状繋ぎ部を介して連設されてなり、前記帯状繋ぎ部および補助帯状繋ぎ部は、側面部における前後の方形切欠部の各垂直端縁および各下方側上端縁に対応する長さを有し、左右の側面部の前後に形成された方形切欠部に対応する段差部分を有するシャーシを１ピースに展開し、一対の側面部、正面部および背面部を同じ方向に折り曲げて形成することを特徴とするシャーシ構造。
【請求項５】
金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部で連設されてなり、前記帯状繋ぎ部は、一方の側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするシャーシ構造。
【請求項６】
金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部を介して連設され、また、他方の側面部の上方側上端縁の他端部および正面部の上端縁の他端部が補助帯状繋ぎ部を介して連設されてなり、前記帯状繋ぎ部および補助帯状繋ぎ部は、側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするシャーシ構造。
【請求項７】
金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部を介して連設され、また、他方の側面部の上方側上端縁の他端部近傍に連設された補助方形繋ぎ部と帯状繋ぎ部に仕切り部が連設されてなり、前記帯状繋ぎ部は、一方の側面部における方形切欠部の垂直端縁および下方側上端縁に対応する長さを有し、また、仕切り部によって内部が区画可能であって、左右の側面部に形成された方形切欠部に対応する段差部分を有するシャーシを１ピースに展開し、一対の側面部、正面部、背面部および仕切り部を同じ方向に折り曲げて形成することを特徴とするシャーシ構造。
【請求項８】
金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部を介して連設され、また、他方の側面部の上方側上端縁の他端部および正面部の上端縁の他端部が補助帯状繋ぎ部を介して連設され、さらに、帯状繋ぎ部と補助帯状繋ぎ部に仕切り部が連設されてなり、前記帯状繋ぎ部および補助帯状繋ぎ部は、側面部における方形切欠部の垂直端縁および下方側上端縁に対応する長さを有し、また、仕切り部によって内部が区画可能であって、左右の側面部に形成された方形切欠部に対応する段差部分を有するシャーシを１ピースに展開し、一対の側面部、正面部、背面部および仕切り部を同じ方向に折り曲げて形成することを特徴とするシャーシ構造。
【請求項９】
金属板を展開図にしたがって打ち抜き、折り曲げることによって形成されるシャーシであって、前後両方の上方に方形切欠部が形成された一対の側面部と、これら一対の側面部の前端縁およびその後端縁にそれぞれ左右端縁が連接可能な正面部および背面部と、を備え、一方の側面部の上方側上端縁の一端部および正面部の上端縁の一端部が帯状繋ぎ部を介して連設されるとともに、他方の側面部の上方側上端縁の他端部および背面部の上端縁の他端部が補助帯状繋ぎ部を介して連設され、また、他方の側面部の上方側上端縁の一端部近傍に連設された補助方形繋ぎ部と帯状繋ぎ部に仕切り部が連設されるとともに、一方の側面部の上方側上端縁の他端部近傍に連設された補助方形繋ぎ部と補助帯状繋ぎ部に仕切り部が連設されてなり、前記帯状繋ぎ部および補助帯状繋ぎ部は、左右各側面部における前方または後方の方形切欠部の垂直端縁および下方側上端縁にそれぞれ対応する長さを有し、また、２枚の仕切り部によって内部が区画可能であって、左右の側面部の前後に形成された方形切欠部に対応する段差部分を有するシャーシを１ピースに展開し、一対の側面部、正面部、背面部および２枚の仕切り部を同じ方向に折り曲げて形成することを特徴とするシャーシ構造。
【請求項１０】
金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、左右の側面部の上方側上端縁、正面部の上端縁および背面部の上端縁が上面部を介して連設されてなり、前記上面部は、側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするシャーシ構造。
【発明の詳細な説明】
【０００１】
【発明の属する技術分野】
本発明は、高周波機器などのシャーシ構造に関するものである。
【０００２】
【従来の技術】
一般に、高周波機器、例えば、チューナなどに使用されるシャーシは、アルミニウム板などの金属板をシャーシ形状に対応する展開図にしたがって打ち抜き、その折り曲げ線に沿って折り曲げることによって形成されている。すなわち、シャーシは、通常、順送金型による金属板の打ち抜き、折り曲げ、カシメといった一連の工程を経て形成される。この場合、打ち抜かれた金属板は１ピースで形成されていなければならず、また、打ち抜かれた金属板の折り曲げに際しては折り曲げ方向を統一させ、金属板を反転することなく作業できるように設計されている。
【０００３】
このようなシャーシａは、例えば、図２１に示すように、左右対称な一対の側面部ｂ，ｃと、これら左右の側面部ｂ，ｃの前端縁およびその後端縁にそれぞれ左右端縁が連接された前後対称な正面部ｄおよび背面部ｅと、から形成されている。そして、このシャーシａを形成するため、図２２に示す展開図にしたがって金属板を打ち抜き、折り曲げ線に沿って折り曲げるようにしている。すなわち、図２２の展開図において、左右対称な一対の側面部ｂ，ｃと、これら一対の側面部ｂ，ｃの前端縁に左右端縁が連接可能な正面部ｄと、一対の側面部ｂ，ｃの後端縁に左右端縁が連接可能な背面部ｅと、を備えるとともに、左右の側面部ｂ，ｃの上端縁、正面部ｄの上端縁および背面部ｅの上端縁が交差する各角隅部に方形繋ぎ部ｆをそれぞれ連設して形成されている。そして、展開図にしたがって打ち抜かれた金属板は、方形繋ぎ部ｆが支持された状態で正面部ｄおよび背面部ｅが下方に折り曲げられた後、左右の側面部ｂ，ｃが下方に折り曲げられることによりシャーシａが形成されるものである。
【０００４】
【発明が解決しようとする課題】
ところで、このようなシャーシａを、例えば、コードレス電話の子機（図２３参照）に収容することを想定すると、子機のデザインを制約することがないように小型化を図る必要がある。この場合、図２４に示すように、シャーシａを構成する左右の側面部ｂ，ｃに方形切欠部ｇを形成すれば、キャビネットの形状に対応して収納する上で有利となる。しかしながら、このようなシャーシを前述した方形繋ぎ部で連設して１ピースで展開することは不可能であるため、これまで別ピースを採用せざるを得なかった。この結果、順送金型による一連の工程でシャーシを形成することができず、別工程を経る必要があるためにコストアップを招くとともに、シャーシ設計に制約を受けるという問題があった。
【０００５】
本発明は、このような問題点に鑑みてなされたもので、コードレス電話の子機などの小型化された機器に組み込むことができるように、段差部分を有するシャーシを１ピースに展開し、順送金型を利用して形成することのできるシャーシ構造を提供するものである。
【０００６】
【課題を解決するための手段】
本発明は、金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁の一端部および背面部の上端縁の他端部が方形繋ぎ部を介して連設されてなり、前記帯状繋ぎ部は、一方の側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするものである。
【０００７】
本発明によれば、左右の側面部の方形切欠部に対応する段差部分が形成されることによって小型化されるため、シャーシ組込対象機器のデザイン設計の自由度を向上させることができる。しかも、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【０００８】
本発明は、金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁の一端部および背面部の上端縁の他端部が方形繋ぎ部を介して連設され、また、背面部の上端縁および正面部の上端縁が１本または複数本の補助帯状繋ぎ部を介して連設されてなり、前記帯状繋ぎ部は、一方の側面部における方形切欠部の垂直端縁および下方側上端縁に対応する長さを有し、また、前記補助帯状繋ぎ部は、一方の側面部の上方側上端縁、その方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするものである。
【０００９】
本発明によれば、左右の側面部の方形切欠部に対応する段差部分が形成されることによって小型化されるため、シャーシ組込対象機器のデザイン設計の自由度を向上させることができる。しかも、正面部と背面部が補助帯状繋ぎ部を介して連設されているため、シャーシ強度を向上させることができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００１０】
本発明は、金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁、背面部の上端縁の他端部および正面部の上端縁の他端部が補助帯状繋ぎ部を介して連設されてなり、前記帯状繋ぎ部および補助帯状繋ぎ部は、側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするものである。
【００１１】
本発明によれば、左右の側面部の方形切欠部に対応する段差部分が形成されることによって小型化されるため、シャーシ組込対象機器のデザイン設計の自由度を向上させることができる。しかも、他方の側面部、背面部および正面部が補助帯状繋ぎ部を介して連設されているため、一方の側面部、正面部および背面部が帯状繋ぎ部を介して連設されていることと相まってさらにシャーシ強度を向上させることができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００１２】
本発明は、金属板を展開図にしたがって打ち抜き、折り曲げることによって形成されるシャーシであって、前後両方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁、背面部の上端縁の一端部および正面部の上端縁の一端部が帯状繋ぎ部を介して連設されるとともに、他方の側面部の上方側上端縁、背面部の上端縁の他端部および正面部の上端縁の他端部が補助帯状繋ぎ部を介して連設されてなり、前記帯状繋ぎ部および補助帯状繋ぎ部は、側面部における前後の方形切欠部の各垂直端縁および各下方側上端縁に対応する長さを有し、左右の側面部の前後に形成された方形切欠部に対応する段差部分を有するシャーシを１ピースに展開し、一対の側面部、正面部および背面部を同じ方向に折り曲げて形成することを特徴とするものである。
【００１３】
本発明によれば、左右の側面部の前後の方形切欠部に対応する段差部分が前後に形成されることによってさらに小型化されるため、シャーシ組込対象機器のデザイン設計の自由度をさらに向上させることができる。しかも、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００１４】
本発明は、金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部で連設されてなり、前記帯状繋ぎ部は、一方の側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするものである。
【００１５】
本発明によれば、左右の側面部の方形切欠部に対応する段差部分が形成されることによって小型化されるため、シャーシ組込対象機器のデザイン設計の自由度を向上させることができる。しかも、短小化された帯状繋ぎ部を用いるため、上方開口面積を大きく形成することができ、内部に組み込む部品配置の制約を緩和することができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００１６】
本発明は、金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部を介して連設され、また、他方の側面部の上方側上端縁の他端部および正面部の上端縁の他端部が補助帯状繋ぎ部を介して連設されてなり、前記帯状繋ぎ部および補助帯状繋ぎ部は、側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするものである。
【００１７】
本発明によれば、左右の側面部の方形切欠部に対応する段差部分が形成されることによって小型化されるため、シャーシ組込対象機器のデザイン設計の自由度を向上させることができる。しかも、短小化された帯状繋ぎ部および補助帯状繋ぎ部を用いるため、上方開口面積を大きく形成することができ、内部に組み込む部品配置の制約を緩和することができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００１８】
本発明は、金属板を展開図にしたがって打ち抜き、折り曲げることによって形成されるシャーシであって、少なくとも前後一方の上方に方形切欠部が形成された一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部を介して連設され、また、他方の側面部の上方側上端縁の他端部近傍に連設された補助方形繋ぎ部と帯状繋ぎ部に仕切り部が連設されてなり、前記帯状繋ぎ部は、一方の側面部における方形切欠部の垂直端縁および下方側上端縁に対応する長さを有し、また、仕切り部によって内部が区画可能であって、左右の側面部に形成された方形切欠部に対応する段差部分を有するシャーシを１ピースに展開し、一対の側面部、正面部、背面部および仕切り部を同じ方向に折り曲げて形成することを特徴とするものである。
【００１９】
本発明によれば、左右の側面部の方形切欠部に対応する段差部分が形成されることによって小型化されるため、シャーシ組込対象機器のデザイン設計の自由度を向上させることができる。しかも、短小化された帯状繋ぎ部を用いるため、上方開口面積を大きく形成することができ、内部に組み込む部品配置の制約を緩和することができる。また、内部を仕切り部によって区画することができるとともに、シャーシ強度を向上させることができる。さらに、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００２０】
本発明は、金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、一方の側面部の上方側上端縁の一端部および背面部の上端縁の一端部、他方の側面部の上方側上端縁の一端部および背面部の上端縁の他端部がそれぞれ方形繋ぎ部を介して連設されるとともに、一方の側面部の上方側上端縁の他端部および正面部の上端縁の一端部が帯状繋ぎ部を介して連設され、また、他方の側面部の上方側上端縁の他端部および正面部の上端縁の他端部が補助帯状繋ぎ部を介して連設され、さらに、帯状繋ぎ部と補助帯状繋ぎ部に仕切り部が連設されてなり、前記帯状繋ぎ部および補助帯状繋ぎ部は、側面部における方形切欠部の垂直端縁および下方側上端縁に対応する長さを有し、また、仕切り部によって内部が区画可能であって、左右の側面部に形成された方形切欠部に対応する段差部分を有するシャーシを１ピースに展開し、一対の側面部、正面部、背面部および仕切り部を同じ方向に折り曲げて形成することを特徴とするものである。
【００２１】
本発明によれば、左右の側面部の方形切欠部に対応する段差部分が形成されることによって小型化されるため、シャーシ組込対象機器のデザイン設計の自由度を向上させることができる。しかも、短小化された帯状繋ぎ部および補助帯状繋ぎ部を用いるため、上方開口面積を大きく形成することができ、内部に組み込む部品配置の制約を緩和することができる。また、内部を仕切り部によって区画することができるとともに、シャーシ強度を向上させることができる。さらに、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００２２】
本発明は、金属板を展開図にしたがって打ち抜き、折り曲げることによって形成されるシャーシであって、前後両方の上方に方形切欠部が形成された一対の側面部と、これら一対の側面部の前端縁およびその後端縁にそれぞれ左右端縁が連接可能な正面部および背面部と、を備え、一方の側面部の上方側上端縁の一端部および正面部の上端縁の一端部が帯状繋ぎ部を介して連設されるとともに、他方の側面部の上方側上端縁の他端部および背面部の上端縁の他端部が補助帯状繋ぎ部を介して連設され、また、他方の側面部の上方側上端縁の一端部近傍に連設された補助方形繋ぎ部と帯状繋ぎ部に仕切り部が連設されるとともに、一方の側面部の上方側上端縁の他端部近傍に連設された補助方形繋ぎ部と補助帯状繋ぎ部に仕切り部が連設されてなり、前記帯状繋ぎ部および補助帯状繋ぎ部は、左右各側面部における前方または後方の方形切欠部の垂直端縁および下方側上端縁にそれぞれ対応する長さを有し、また、２枚の仕切り部によって内部が区画可能であって、左右の側面部の前後に形成された方形切欠部に対応する段差部分を有するシャーシを１ピースに展開し、一対の側面部、正面部、背面部および２枚の仕切り部を同じ方向に折り曲げて形成することを特徴とするものである。
【００２３】
本発明によれば、左右の側面部の前後の方形切欠部に対応する段差部分が前後に形成されることによってさらに小型化されるため、シャーシ組込対象機器のデザイン設計の自由度をさらに向上させることができる。しかも、内部を２枚の仕切り部によって複数個に区画することができるとともに、シャーシ強度を向上させることができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００２４】
本発明は、金属板を展開図にしたがって打ち抜き、折り曲げることによって形成されるシャーシであって、少なくとも前後一方の上方に方形切欠部が形成された左右対称な一対の側面部と、これら一対の側面部の前端縁およびその後端縁にそれぞれ左右端縁が連接可能な正面部および背面部と、を備え、左右の側面部の上方側上端縁、正面部の上端縁および背面部の上端縁が上面部を介して連設されてなり、前記上面部は、側面部における方形切欠部の垂直端縁および下方側上端縁に対応する長さを有し、左右の側面部に形成された方形切欠部に対応する段差部分を有するシャーシを１ピースに展開し、一対の側面部、正面部および背面部を同じ方向に折り曲げて形成することを特徴とするものである。
【００２５】
本発明によれば、左右の側面部の方形切欠部に対応する段差部分が形成されることによって小型化されるため、シャーシ組込対象機器のデザイン設計の自由度を向上させることができる。しかも、左右の側面部、正面部および背面部が上面部を介して一体に連設されるため、シャーシ強度をさらに向上させることができるとともに、シャーシの上面をシールドするための蓋体が不要となる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００２６】
【発明の実施の形態】
以下、本発明の実施の形態を図面を参照して説明する。
【００２７】
図１には、本発明のシャーシ１の第１実施形態が示されている。
【００２８】
このシャーシ１は、例えば、コードレス電話の子機などに搭載される部品を包囲するために用いられ、金属板を図２に示す展開図にしたがって打ち抜いた後、折り目に沿って折り込むことにより形成される。
【００２９】
すなわち、シャーシ１は、図２の展開図において、前部上方に方形切欠部２ａが形成された左右対称な側面部２Ｌ，２Ｒと、これら左右の側面部２Ｌ，２Ｒの前端縁に左右端縁が連接可能な正面部３と、左右の側面部２Ｌ，２Ｒの後端縁に左右端縁が連接可能な背面部４と、左側面部２Ｌの上方側上端縁の後端部および背面部４の上端縁の左端部に連設された方形繋ぎ部５と、右側面部２Ｒの上方側上端縁、背面部４の上端縁の右端部および正面部３の上端縁の右端部に連設された帯状繋ぎ部６と、から形成されている。そして、帯状繋ぎ部６は、右側面部２Ｒの上方側上端縁に連設される部位６１、その上方側上端縁に連続す方形切欠部２ａの垂直端縁に沿う部位６２およびその垂直端縁に連続する方形切欠部２ａの下方側上端縁に沿う部位６３を有している。
【００３０】
なお、正面部３の左右端縁および背面部４の左右端縁には、それぞれ突起３ａ，４ａが形成されており、また、左右側面部２Ｌ，２Ｒの各前後端縁には、前記突起３ａ，４ａに対応して嵌合穴２ｂが形成されており、各突起３ａ，４ａにそれぞれ嵌合穴２ｂが嵌合可能となっている。
【００３１】
このような展開図にしたがって打ち抜かれた金属板は、詳細には図示しないが、左右側面部２Ｌ，２Ｒの方形切欠部２ａに対応する段差部を有する金型に、方形繋ぎ部５および帯状繋ぎ部６における右側面部２Ｒの上方側上端縁に連設された部位６１が支持された後、まず、背面部４が下方に折り曲げられ、次いで、帯状繋ぎ部６が、右側面部２Ｒにおける切欠部２ａの垂直端縁および下方側上端縁に沿うように順に折り曲げられ、さらに、帯状繋ぎ部６に対して正面部３が下方に折り曲げられ、その後、左右の側面部２Ｌ，２Ｒが下方に折り曲げられる。この際、正面部３の突起３ａおよび背面部４の突起４ａにそれぞれ左右の側面部２Ｌ，２Ｒの嵌合孔２ｂが嵌め込まれ、次いで、突起３ａ，４ａがカシメられることにより、シャーシ１が形成される（図１参照）。
【００３２】
この結果、本実施形態のシャーシ１は、左右の側面部２Ｌ，２Ｒの方形切欠部２ａに対応する段差部分が形成されることによって小型化されるため、シャーシ組込対象機器、例えば、コードレス電話の子機などのデザイン設計の自由度を向上させることができる。しかも、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００３３】
なお、この実施形態においては、左右の側面部２Ｌ，２Ｒを対称に形成した場合を例示したが、一側面部（実施形態においては左側面部２Ｌ）は、帯状繋ぎ部６の折り曲げと関係しないため、左右対称に限らず非対称な側面部２Ｌ，２Ｒであってもよい。
【００３４】
図３には、本発明のシャーシ１の第２実施形態が示されている。
【００３５】
この実施形態のシャーシ１は、図１に示したシャーシ１において、正面部３の上端縁の略中間部および背面部４の上端縁の略中間部に、帯状繋ぎ部６と同一長さ、すなわち、右側面部２Ｒの上方側上端縁に対応する長さの部位７１、切欠部２ａの垂直端縁に対応する長さの部位７２およびその下方側上端縁に対応する長さの部位７３を有する補助帯状繋ぎ部７をさらに連設したものである（図４参照）。
【００３６】
なお、その他の構成は、図１に示した第１実施形態のシャーシ１と同一であり、同一の部材には同一の符号を付して詳細な説明は省略する。
【００３７】
この結果、本実施形態のシャーシ１は、前述した第１実施形態のシャーシ１の作用効果に加えて、正面部３と背面部４が補助帯状繋ぎ部７を介して連設されているため、シャーシ強度を向上させることができる。
【００３８】
この場合、補助帯状繋ぎ部７は、１本に限らず複数本設けることもできる。
【００３９】
また、この実施形態においても、第１実施形態の場合と同様に、左右非対称な側面部２Ｌ，２Ｒであってもよい。
【００４０】
図５には、本発明のシャーシ１の第３実施形態が示されている。
【００４１】
この実施形態のシャーシ１は、図３に示したシャーシ１において、方形繋ぎ部５に代えて、左側面部２Ｌの上方側上端縁、背面部４の上端縁の左端部および正面部３の上端縁の左端部に補助帯状繋ぎ部７を連設したものである（図６参照）。
【００４２】
なお、その他の構成は、図３に示した第２実施形態のシャーシ１と同一であり、同一の部材には同一の符号を付して詳細な説明は省略する。
【００４３】
この結果、本実施形態のシャーシ１においても、前述した第１実施形態のシャーシ１の作用効果に加えて、左側面部２Ｌ、正面部３および背面部４が補助帯状繋ぎ部７を介して連設されているため、右側面部２Ｒ、正面部３および背面部４が帯状繋ぎ部７を介して連設されていることと相まってさらにシャーシ強度を向上させることができる。
【００４４】
図７には、本発明のシャーシ１の第４実施形態が示されている。
【００４５】
この実施形態のシャーシ１は、図５に示したシャーシ１において、左右の側面部２Ｌ，２Ｒの前部上方および後部上方にそれぞれ方形切欠部２ａ，２ａが形成され、この左右側面部２Ｌ，２Ｒの各方形切欠部２ａ，２ａに対応して帯状繋ぎ部６および補助帯状繋ぎ部７が形成されたものである。
【００４６】
すなわち、このシャーシ１は、図８の展開図において、前後両端部上方にそれぞれ方形切欠部２ａ，２ａが形成された左右対称な側面部２Ｌ，２Ｒと、これら左右の側面部２Ｌ，２Ｒの前端縁に左右端縁が連接可能な正面部３と、左右の側面部２Ｌ，２Ｒの後端縁に左右端縁が連接可能な背面部４と、右側面部２Ｌの上方側上端縁、背面部４の上端縁の右端部および正面部３の上端縁の右端部に連設された帯状繋ぎ部６と、左側面部２Ｌの上方側上端縁、背面部４の上端縁の左端部および正面部３の上端縁の左端部に連設された補助帯状繋ぎ部７と、から形成されている。そして、帯状繋ぎ部６および補助帯状繋ぎ部７は、左右側面部２Ｌ，２Ｒの上方側上端縁に連設される部位６１，７１、その方形切欠部２ａの前後の垂直端縁に沿う部位６２，７２およびその前後の下方側上端縁に沿う部位６３，７３を有している。
【００４７】
この結果、本実施形態のシャーシ１は、前述した第１実施形態のシャーシ１の作用効果に加えて、左右の側面部２Ｌ，２Ｒの前後の方形切欠部２ａ，２ａに対応する段差部分が前後に形成されることによってさらに小型化されるため、シャーシ組込対象機器、例えば、コードレス電話の子機などのデザイン設計の自由度をさらに向上させることができる。
【００４８】
図９には、本発明のシャーシ１の第５実施形態が示されている。
【００４９】
この実施形態のシャーシ１は、図１０の展開図において、前部上方に方形切欠部２ａが形成された左右対称な側面部２Ｌ，２Ｒと、これら左右の側面部２Ｌ，２Ｒの前端縁に左右端縁が連接可能な正面部３と、左右の側面部２Ｌ，２Ｒの後端縁に左右端縁が連接可能な背面部４と、左側面部２Ｌの上方側上端縁の後端部および背面部４の上端縁の左端部、右側面部２Ｒの上方側上端縁の後端部および背面部４の上端縁の右端部にそれぞれ連設された方形繋ぎ部５と、右側面部２Ｒの上方側上端縁の前端部および正面部３の上端縁の右端部に連設された帯状繋ぎ部６Ａと、から形成されている。そして、帯状繋ぎ部６Ａは、右側面部２Ｒにおける切欠部２ａの垂直端縁に沿う部位６２およびその下方側上端縁に沿う部位６３を有している。
【００５０】
この結果、本実施形態のシャーシ１も、左右の側面部２Ｌ，２Ｒの方形切欠部２ａに対応する段差部分が形成されることによって小型化されるため、シャーシ組込対象機器、例えば、コードレス電話の子機などのデザイン設計の自由度を向上させることができる。しかも、短小化された帯状繋ぎ部６Ａを用いるため、上方開口面積を大きく形成することができ、内部に組み込む部品配置の制約を緩和することができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００５１】
なお、この実施形態においても、前述した第１実施形態の場合と同様に、左右非対称な側面部２Ｌ，２Ｒであってもよい。
【００５２】
図１１には、本発明のシャーシ１の第６実施形態が示されている。
【００５３】
この実施形態のシャーシ１は、図９に示したシャーシ１において、帯状繋ぎ部６Ａと左右対称に補助帯状繋ぎ部７Ａがさらに連設されたものである。すなわち、補助帯状繋ぎ部７Ａは、左側面部２Ｌの上方側上端縁の前端部および正面部３の上端縁の左端部に連設されている（図１２参照）。
【００５４】
この結果、本実施形態のシャーシ１も、図９に示したシャーシ１と同様の作用効果を達成することができる。
【００５５】
図１３には、本発明のシャーシ１の第７実施形態が示されている。
【００５６】
この実施形態のシャーシ１は、図９に示したシャーシ１において、左側面部２Ｌの上方側上端縁の前端部近傍に補助方形繋ぎ部８が連設されるとともに、この補助方形繋ぎ部８の後端縁および帯状繋ぎ部６Ａの後端縁に仕切り部９が連設されたものである（図１４参照）。この場合、仕切り部９を下方に折り曲げる際、その左右端縁が左右の側面部２Ｌ，２Ｒの上方側上端縁と干渉することがないように、左右の側面部２Ｌ，２Ｒの各上方側上端縁には、一定深さの切欠部２ｘが形成されている。
【００５７】
この結果、本実施形態のシャーシ１は、図９に示したシャーシ１の作用効果に加えて、シャーシ１の内部を仕切り部９によって前後に区画することができるとともに、シャーシ強度を向上させることができる。
【００５８】
なお、この実施形態においても、前述した第１実施形態の場合と同様に、左右非対称な側面部２Ｌ，２Ｒであってもよい。
【００５９】
図１５には、本発明のシャーシ１の第８実施形態が示されている。
【００６０】
この実施形態のシャーシ１は、図１１に示したシャーシ１において、帯状繋ぎ部６Ａの後端縁および補助帯状繋ぎ部７Ａの後端縁に仕切り部９が連設されたものである（図１６参照）。この場合も、図１３に示したシャーシ１と同様に、左右の側面部２Ｌ，２Ｒの各上方側上端縁には、一定深さの切欠部２ｘが形成されている。
【００６１】
この結果、本実施形態のシャーシ１も、図１３に示したシャーシ１と同様の作用効果を達成することができる。
【００６２】
図１７には、本発明のシャーシ１の第９実施形態が示されている。
【００６３】
この実施形態のシャーシ１は、図１８の展開図において、前後両端部上方にそれぞれ方形切欠部２ａ，２ａが形成された左右対称な側面部２Ｌ，２Ｒと、これら左右の側面部２Ｌ，２Ｒの前端縁に左右端縁が連接可能な正面部３と、左右の側面部２Ｌ，２Ｒの後端縁に左右端縁が連接可能な背面部４と、右側面部２Ｒの上方側上端縁の前端部および正面部３の上端縁の右端部に連設された帯状繋ぎ部６Ａと、左側面部２Ｌの上方側上端縁の後端部および背面部４の上端縁の左端部に連設された補助帯状繋ぎ部７Ａと、左側面部２Ｌの上方側上端縁の前端部近傍に連設された補助方形繋ぎ部８と、右側面部２Ｒの上方側上端縁の後端部近傍に連設された補助方形繋ぎ部８Ａと、帯状繋ぎ部６Ａの後端縁および補助方形繋ぎ部８の後端縁に連設された仕切り部９と、補助帯状繋ぎ部７Ａの前端縁および補助方形繋ぎ部８Ａの前端縁に連設された仕切り部９Ａと、から形成されている。そして、帯状繋ぎ部６Ａは、右側面部２Ｒにおける前方の方形切欠部２ａの垂直端縁に沿う部位６２およびその下方側上端縁に沿う部位６３を有している。また、補助帯状繋ぎ部７Ａは、左側面部２Ｌにおける後方の方形切欠部２ａの垂直端縁に沿う部位７２およびその下方側上端縁に沿う部位７３を有している。
【００６４】
この結果、本実施形態のシャーシ１は、左右の側面部２Ｌ，２Ｒの前後の方形切欠部２ａに対応する段差部分が前後に形成されることによってさらに小型化されるため、シャーシ組込対象機器、例えば、コードレス電話の子機などのデザイン設計の自由度をさらに向上させることができる。しかも、シャーシ１の内部を２枚の仕切り部９，９Ａによって複数個に区画することができるとともに、シャーシ強度をより向上させることができる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００６５】
なお、この実施形態においても、前述した第１実施形態の場合と同様に、左右非対称な側面部２Ｌ，２Ｒであってもよい。
【００６６】
図１９には、本発明のシャーシ１の第１０実施形態が示されている。
【００６７】
この実施形態のシャーシ１は、図２０の展開図において、前部上方に方形切欠部２ａが形成された左右対称な側面部２Ｌ，２Ｒと、これら左右の側面部２Ｌ，２Ｒの前端縁に左右端縁が連接可能な正面部３と、左右の側面部２Ｌ，２Ｒの後端縁に左右端縁が連接可能な背面部４と、左右の側面部２Ｌ，２Ｒの各上方側上端縁、正面部３の上端縁および背面部４の上端縁に連設された上面部１０と、から形成されている。そして、上面部１０は、左右の側面部２Ｌ，２Ｒにおける方形切欠部２ａの垂直端縁に沿う部位１０２およびその下方側上端縁に沿う部位１０３を有している。
【００６８】
この結果、本実施形態のシャーシ１は、左右の側面部２Ｌ，２Ｒの方形切欠部２ａに対応する段差部分が形成されることによって小型化されるため、シャーシ組込対象機器、例えば、コードレス電話の子機などのデザインデザイン設計の自由度を向上させることができる。しかも、左右の側面部２Ｌ，２Ｒ、正面部３および背面部４は、上面部１０を介して一体に連設されるため、シャーシ強度をさらに向上させることができるとともに、シャーシ１の上面をシールドするための蓋体が不要となる。また、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【００６９】
【発明の効果】
以上のように本発明によれば、左右の側面部に形成された方形切欠部に対応する段差部分が形成されることによって小型化されるため、シャーシ組込対象機器のデザイン設計の自由度を向上させることができる。しかも、展開図にしたがって打ち抜かれた金属板は、１ピースであるため、これまでと同様に、順送金型による金属板の打ち抜き、折り曲げ、カシメの一連の工程を経て形成することができ、コストアップを抑えることができる。
【図面の簡単な説明】
【図１】本発明のシャーシ構造の第１実施形態を示す斜視図である。
【図２】図１のシャーシを形成するための展開図である。
【図３】本発明のシャーシ構造の第２実施形態を示す斜視図である。
【図４】図３のシャーシを形成するための展開図である。
【図５】本発明のシャーシ構造の第３実施形態を示す斜視図である。
【図６】図５のシャーシを形成するための展開図である。
【図７】本発明のシャーシ構造の第４実施形態を示す斜視図である。
【図８】図７のシャーシを形成するための展開図である。
【図９】本発明のシャーシ構造の第５実施形態を示す斜視図である。
【図１０】図９のシャーシを形成するための展開図である。
【図１１】本発明のシャーシ構造の第６実施形態を示す斜視図である。
【図１２】図１１のシャーシを形成するための展開図である。
【図１３】本発明のシャーシ構造の第７実施形態を示す斜視図である。
【図１４】図１３のシャーシを形成するための展開図である。
【図１５】本発明のシャーシ構造の第８実施形態を示す斜視図である。
【図１６】図１５のシャーシを形成するための展開図である。
【図１７】本発明のシャーシ構造の第９実施形態を示す斜視図である。
【図１８】図１７のシャーシを形成するための展開図である。
【図１９】本発明のシャーシ構造の第１０実施形態を示す斜視図である。
【図２０】図１９のシャーシを形成するための展開図である。
【図２１】従来のシャーシ構造を示す斜視図である。
【図２２】図２１のシャーシを形成するための展開図である。
【図２３】コードレス電話の子機を示す斜視図である。
【図２４】コードレス電話の子機に搭載可能なシャーシ構造を示す概略斜視図である。
【符号の説明】
１  シャーシ
２Ｌ  左側面部
２Ｒ  右側面部
２ａ  方形切欠部
３  正面部
４  背面部
５  方形繋ぎ部
６，６Ａ  帯状繋ぎ部
７，７Ａ  補助帯状繋ぎ部
８，８Ａ  補助方形繋ぎ部
９，９Ａ  仕切り部
１０  上面部
【図１】
0003758950.tif 000002
【図２】
0003758950.tif 000003
【図３】
0003758950.tif 000004
【図４】
0003758950.tif 000005
【図５】
0003758950.tif 000006
【図６】
0003758950.tif 000007
【図７】
0003758950.tif 000008
【図８】
0003758950.tif 000009
【図９】
0003758950.tif 000010
【図１０】
0003758950.tif 000011
【図１１】
0003758950.tif 000012
【図１２】
0003758950.tif 000013
【図１３】
0003758950.tif 000014
【図１４】
0003758950.tif 000015
【図１５】
0003758950.tif 000016
【図１６】
0003758950.tif 000017
【図１７】
0003758950.tif 000018
【図１８】
0003758950.tif 000019
【図１９】
0003758950.tif 000020
【図２０】
0003758950.tif 000021
【図２１】
0003758950.tif 000022
【図２２】
0003758950.tif 000023
【図２３】
0003758950.tif 000024
【図２４】
0003758950.tif 000025